(57)【要約】【課題】従来の複雑な仕組みが不要で安価に製造でき、且つ、訓練者の視力に合うレンズ強度を調節することができる視力回復訓練装置を提供する。【解決法】暗箱１の一端に設置された第一窓１１と、前記暗箱１の他端に設けられ、第一窓１１から通視可能にされた第二窓１２と、前記第一窓１１と第二窓１２の間に設置され、訓練者の視線上に出没可能なレンズ３５とからなり、前記レンズ３５を、レンズ３５の着脱が可能な、複数のスリット３３が隔設されたレンズ移動設置台３に取付ける。【選択図】　図１
2004033394.tif 000002
【特許請求の範囲】
【請求項１】
暗箱の一端に設置された第一窓と、前記暗箱の他端に設けられ、第一窓から通視可能に設けられた第二窓と、前記第一窓と第二窓との間に設置され、訓練者の視線上に出没可能に設けられたレンズとからなることを特徴とする視力回復訓練装置。
【請求項２】
レンズが、複数のスリットの隔設されたレンズ移動設置台に着脱可能に取付けられていることを特徴とする請求項１記載の視力回復訓練装置。
【発明の詳細な説明】
【０００１】
【産業上の利用分野】
本発明は、視力回復訓練を行う装置に関し、特に、訓練者に凝視対象物を遠近交互に見せることにより、毛様体に伸縮運動を促し、視力の回復訓練を行うタイプの装置に関するものである。
【０００２】
【従来技術】
近視は、水晶体の厚みを調節する眼筋（主に毛様体筋肉）の柔軟性が失われ、水晶体が正しく焦点を網膜に結ぶことができない状態で生ずる。この毛様体筋肉にもう一度柔軟性を付与するため、例えば、接眼部が設けられた箱体内にプログラムされたデジタル映像を投影し、これを凝視する訓練者の視線上を移動するレンズを設け、このレンズが自動的に訓練者の眼部に近づいたり、遠のいたりしてデジタル画像に遠近感を作り出し、毛様体筋肉の伸縮運動を促して視力回復を図る装置がある。
【０００３】
【発明が解決しようとする課題】
しかしながら、上記の訓練装置は、デジタル映像等を使用しているため内部構造が複雑で大変高額である。更に、内部に設置されている凝視対象物を拡大、縮小させるためのレンズを交換することができず、視力と適合しないレンズで狭い視野を凝視するのは、訓練者にとって苦痛であった。
そこで本発明は、上記従来技術の問題点に鑑み、従来の複雑な仕組みが不要で安価に製造することができ、且つ訓練者の視力に合うレンズ強度を調節することができる視力回復訓練装置を提供することを目的とする。
【０００４】
【課題を解決するための手段】
この目的を達成するため、本発明の視力回復訓練装置は、暗箱の一端に設置された第一窓と、前記暗箱の他端に設けられ、第一窓から通視可能にされた第二窓と、前記第一窓と第二窓の間に設置され、訓練者の視線上に出没可能なレンズとからなることを第１の特徴とし、前記レンズが、複数のスリットの隔設されたレンズ移動設置台に着脱可能に取付けられていることを第２の特徴とする。
【０００５】
【発明の実施の形態】
以下、本発明の実施の形態を図面に示す実施例に基づいて説明する。図１は本発明に係る視力回復訓練装置を示す斜視図、図２は本発明に係る基台を示す斜視図、図３は本発明に係るレンズ移動設置台を示す斜視図、図４は本発明に係るスイングアームを示す斜視図、図５は本発明に係るレンズ移動設置台上昇時の駆動部を示す要部斜視図である。
【０００６】
【実施例】
図１に示すように、本発明に係る視力回復訓練装置は、方形状の暗箱１の一端に第一窓１１が設けられ、他端には第二窓１２が設けられている。前記暗箱１の内部には、矩形の凹レンズに枠が取付けられたレンズ３５を立設保持し、昇降可能に設けられたレンズ移動設置台３と、該レンズ移動設置台３を昇降させる駆動部４と、それらを載置する基台部２が収容されている。まず、暗箱１の一端には、その上部に角型筒状の窓枠１１１が貫設されており、外部へ突出した窓枠１１１は、額や鼻を当接する部分が柔らかな丸みを帯びた凹状にされて、第一窓１１を形成している。そして暗箱１の他端には、窓枠１１１の延長上に、第一窓１１の約２倍の面積で第二窓１２が設けられており、第一窓１１から暗箱１内部を覗くと反対側の風景を通視することができるようにされている。また、暗箱１の上面中央部には、一辺のみが暗箱１に連結された、開閉可能な作業扉１３が設置されている。
【０００７】
図２に示すように、本発明に係る基台部２は、長手方向の長さの異なる矩形の板を一端が揃うように２枚張り合わせた基板２１があり、一端が揃っている方が第二窓１２側（以下、後部という）に配置されている。そして、前記基板２１の上面の左右端には基板２１より長手方向が短かく、軸受け用の突片２２１を有する枠板２２が基板２１の後部に揃えて立設され、前方に配置された突片２２１に支軸２３が設置されている。この枠板２２の中央にはガイド溝２２２が設けられ、また、その枠板２２の内側面の前後端には矩形の係合板２２３が各１枚ずつ設置されている。
【０００８】
図３に示すように、レンズ移動設置台３は、底板３１と、該底板３１の左右端に側板３２が設けられて断面略凹状に形成されており、その内部には複数のスリット３３が隔設されている。そして、前記側板３２の外側面には、側板３２より小さな面積の補助板３４が各１枚ずつ貼着されており、その補助板３４の前後端の上方と下方は凹状に窪みが設けられ、そこにそれぞれ１個ずつ取付けられたキャスター３４１の回転が妨げられないようにされている。このように形成されたレンズ移動設置台３を前記基台２内に設置すると、該キャスター３４１は、前記係合板２２３の内部側面に当接して、レンズ移動設置台３の昇降を安定的、且つ、滑らかにするように設けられている。そして、側板３２の中央下端には摺動杆３２１が突設されており、前記基台部２に設けられているガイド溝２２２内を摺動するようにされている。尚、レンズ移動設置台３の上昇位置は、レンズ移動設置台３にレンズ３５を立設して上昇させた時に、第一窓１１から見える視野全体がレンズ３５によって覆われるようにされ、またレンズ移動設置台３が降下している時は、視野にレンズ３５が入らないようにされている。
【０００９】
図１に示すように、本発明の駆動部４は、一端がレンズ移動設置台３に連結された略へ字形の２本のスイングアーム４１と、該スイングアーム４１の他端同士を連結する連結杆４２と、前記基台部２の前方中央部に設置されたモーター４３とからなる。該モーター４３には回転カム４４が設置され、この回転カム４４は、図５に示すように、軸穴を中心として一方に設けられた半円形の大径部４４１と、その反対側に設けられた半円形の小径部４４２とからなっている。また、図４に示すように、スイングアーム４１は後部へ向けて伸びる長軸のアームに長溝状の摺動孔４１２が設けられ、ここにレンズ移動設置台３の摺動杆３２１が挿通される。また、このスイングアーム４１の略へ字形の長軸と短軸の交点に挿通孔４１１が穿孔されており、前記基台部２の支軸２３がここに挿通される。尚、スイングアーム４１の両端を連結する連結杆４２は、スイングアーム４１の短軸の先端に固定されている。そして、図５に示すように、前記連結杆４２には、前記回転カム４４を受けるためのカム受け４５が設置されている。該カム受け４５は、二個のベアリング支持台４５２の端部をそれぞれ連結杆４２に固定し、他端同士を向かい合わせてゲートを形成し、他端同士間でカム用ベアリング４５１を回転可能に軸支している。前記カム用ベアリング４５１は、上方から回動してくる回転カム４４の大径部４４１を滑らかに受け、大径部４４１の動きに付随して回転する。
【００１０】
図１に示すように、カム受け４５側に、回転カム４４の小径部４４２が位置する時、回転カム４４とカム受け４５は当接しない状態にあるため、レンズ移動設置台３は降下した状態にある。そして、図５に示すように、大径部４４１が反時計回りに回動してくると、大径部４４１はカム受け４５を下方に押圧するため、連結杆４２側が下方に押し下げられる。すると、支軸２３を支点として、摺動杆３２１で連結されているレンズ移動設置台３側が上昇する。そして、再び小径部４４２が回動してくると、カム受け４５から回転カム４４が離反するため、レンズ移動設置台３は支持力を失い、降下する。尚、レンズ移動設置台３の上昇時間は、このモーター４３の回転速度と大径部４４１の径長の調整により、約５秒〜８秒間になるように設定されている。また、レンズ移動設置台３が移動する方向は、必ずしも昇降動である必要はないが、一瞬にして視界を変化させ、毛様体に適度な強い刺激を与えるには、重力を利用できる昇降動が好ましい。
【００１１】
次に、本発明に係る視力回復訓練装置の使用方法について説明する。まず、暗箱１の第二窓１２を凝視対象物の方に向け、訓練者を第一窓１１側に座らせて、第一窓１１から暗箱１内を通視させる。そして、レンズ移動設置台３を上昇させ、作業扉１３を開き、レンズ３５を数枚組み合わせたり、レンズ３５を立設するスリット３３の位置を変えたりすることで、裸眼の訓練者の視力に最適なレンズ強度を調節する。その後、訓練時間を５〜１０分間で設定し、レンズ移動設置台３の降下時には実際の距離にある凝視対象物を、また、レンズ移動設置台３の上昇時には、縮小されて実際の距離より遠距離感のある凝視対象物を、交互に凝視させる。
【００１２】
本発明に係る視力回復訓練装置は、凝視対象物を自在に変更して訓練を行うことができる。その凝視対象物は訓練者の見る意欲を掻き立てるようなものが好ましく、例えば、訓練者が子供である場合には、テレビ画面等を凝視対象物にすると訓練意欲を向上、継続させることができる。
【００１３】
本発明に係る視力回復訓練装置は、光度を変化させるためのライト等を暗箱の内部及び／または外部に設け、点灯と消灯を繰り返すことで、毛様体の訓練と同時に、眼球の光度調節を行う虹彩の訓練も同時に行うことができる。また、本発明に使用されるレンズ３５は凹レンズが使用されており、凝視対象物を縮小させて遠距離感を作り出している。しかし、凝視対象物を拡大、または縮小させて実際の距離より遠近感を作り出し、訓練者の毛様体の伸縮を促せればよいため、必ずしも凹レンズでなくてよい。
【００１４】
【発明の効果】
本発明は、上記のように構成したので、以下のような優れた効果がある。
（１）従来の複雑な仕組みが不要となり、簡単な仕組みで構成されるため、安価に製造することができる。
（２）レンズが、複数のスリットを隔設したレンズ移動設置台にレンズ着脱可能に取付けられることにより、立設枚数や、立設位置を自由に設定することができるため、訓練者の視力に合うレンズ強度を調節することができる。
【図面の簡単な説明】
【図１】本発明に係る視力回復訓練装置を示す斜視図である。
【図２】本発明に係る基台部を示す斜視図である。
【図３】本発明に係るレンズ移動設置台を示す斜視図である。
【図４】本発明に係るスイングアームを示す斜視図である。
【図５】本発明に係るレンズ移動設置台上昇時の駆動部を示す要部斜視図である。
【符号の説明】
１　　　　　暗箱
１１　　　　第一窓
１１１　　　窓枠
１２　　　　第二窓
１３　　　　作業扉
２　　　　　基台部
２１　　　　基板
２２　　　　枠板
２２１　　　ガイド溝
２２２　　　係合板
２３　　　　支軸
３　　　　　レンズ移動設置台
３１　　　　基板
３２　　　　側板
３２１　　　摺動杆
３３　　　　スリット
３４　　　　補助板
３４１　　　キャスター
３５　　　　レンズ
４　　　　　駆動部
４１　　　　スイングアーム
４１１　　　挿通孔
４１２　　　摺動孔
４２　　　　連結杆
４３　　　　モーター
４４　　　　回転カム
４４１　　　大径部
４４２　　　小径部
４５　　　　カム受け
４５１　　　カム用ベアリング
４５２　　　ベアリング支持台
【図１】
2004033394.tif 000003
【図２】
2004033394.tif 000004
【図３】
2004033394.tif 000005
【図４】
2004033394.tif 000006
【図５】
2004033394.tif 000007